(57)【特許請求の範囲】
【請求項１】
内燃機関の吸気通路に設置され前記内燃機関に吸入される吸入空気量を調節する吸気流量可変機構を備えた車両に設置され、前記吸気流量可変機構を制御して前記吸入空気量を調節する車両の制御装置において、
前記内燃機関の冷却水温を検出する冷却水温検出手段と、
前記車両の減速時に前記内燃機関の機関回転数が所定値以上であることを条件に前記内燃機関に供給される燃料を停止する燃料供給停止手段と、
前記車両の走行状態に基づいて前記吸入空気量を設定する吸入空気量設定手段と、
前記吸入空気量設定手段により設定された吸入空気量となるよう前記吸気流量可変機構を制御する制御手段と、
前記冷却水温検出手段により検出された冷却水温に応じて前記吸入空気量の下限値を設定する下限値設定手段と、を備え、
前記下限値設定手段は、前記内燃機関の暖機中であって前記冷却水温検出手段により検出された冷却水温が低い場合には、高い場合と比較して前記吸入空気量の下限値を高く設定し、
前記制御手段は、前記燃料供給停止手段により燃料の供給が停止されている場合に、前記吸入空気量設定手段により設定された吸入空気量が前記下限値設定手段により設定された下限値を下回っている場合には、前記内燃機関に吸入される吸入空気量が前記下限値となるよう前記吸気流量可変機構を制御することを特徴とする車両の制御装置。
【請求項２】
前記下限値設定手段は、前記燃料供給停止手段により燃料供給が停止された場合における前記内燃機関の燃焼室の負圧を所定値以下とするためのもう一つの下限値を設定し、前記もう一つの下限値が前記冷却水温に応じて設定される前記下限値よりも高い前記冷却水温の範囲においては、前記もう一つの下限値を新たな下限値として設定することを特徴とする請求項１に記載の車両の制御装置。
【請求項３】
前記吸気流量可変機構が、スロットルバルブにより構成され、
前記制御手段は、前記スロットルバルブの開度を制御することを特徴とする請求項１または請求項２に記載の車両の制御装置。
【請求項４】
前記吸気流量可変機構が、スロットルバルブと、前記内燃機関のアイドル時に作動するアイドルスピードコントロールバルブとを有し、
前記制御手段は、前記スロットルバルブおよび前記アイドルスピードコントロールバルブの開度を制御することを特徴とする請求項１または請求項２に記載の車両の制御装置。
【発明の詳細な説明】
【技術分野】
【０００１】
本発明は、減速時に内燃機関への燃料供給を停止可能な車両の制御装置に関する。
【背景技術】
【０００２】
一般に、内燃機関を搭載した車両は、減速時に内燃機関に供給される燃料を停止するフューエルカットを実行し、燃費を向上するようになっている。
【０００３】
このような車両においては、車両のアクセルペダルが解放され、車両が減速を始めると、内燃機関の機関回転数が所定値に低下するまでの間、内燃機関に燃料供給を停止するフューエルカット制御を実行するようになっており、機関回転数が当該所定値まで低下すると、エンジンストールの発生を防止するためにフューエルカットの実行を終了し燃料供給を再開するようになっている。
【０００４】
このようなフューエルカット制御を実行する車両の制御装置において、内燃機関の排気通路に設置された触媒の劣化を防止するよう、触媒の温度に応じてフューエルカットの実行の有無を切り替えるものが知られている（例えば、特許文献１参照）。
【０００５】
この特許文献１に記載の車両の制御装置は、スロットル開度が全閉状態で、かつ、内燃機関の機関回転数が所定値以上である場合には、フューエルカット制御を実行するようになっている。
【０００６】
ここで、高温状態の触媒にリーン状態の排気ガスが通過すると、酸素が過剰に供給され、触媒内のＰｔの粒成長が促進される。このため、排気ガスに接触する触媒内のＰｔの全体の表面積は小さくなり、排気ガス浄化性能が低下する。
【０００７】
したがって、この特許文献１に記載の車両の制御装置は、フューエルカット制御の実行中に触媒が高温状態か否かを判断するようになっており、触媒が高温状態にあると判断した場合には、フューエルカット制御の実行条件が成立してもフューエルカット制御の実行を禁止することにより、触媒がリーン状態の排気ガスに晒され触媒内のＰｔの表面積が小さくなることを防止し、排気ガス浄化性能を維持するようになっていた。
【０００８】
一方、内燃機関の暖機中においては、上記のように触媒の高温状態でフューエルカット制御を禁止したとしても、内燃機関の潤滑用オイルの粘性増加や燃料の霧化の悪化に起因した不安定な燃焼により失火が発生することがあり、未燃の燃料が排気ガスとともに触媒内に供給され発火した場合には、触媒性能をむしろ劣化させる可能性が高まる。そのため、特許文献１に記載の車両の制御装置は、内燃機関の暖機中においては、触媒が高温状態であってもフューエルカット制御の禁止を中断するようになっている。
【０００９】
また、一般に、このようなフューエルカット制御を実行する車両の制御装置においては、上記のように内燃機関の暖機状態では燃焼が不安定になるため、機関回転数が低下した状態でフューエルカット制御を終了すると、エンジンストールの発生する可能性が高くなる。そこで、フューエルカット制御を終了する機関回転数を暖機終了後より高く設定し、エンジンストールの発生を防止するようになっている。
【００１０】
そのため、暖機時においては、暖機終了後と比較してフューエルカットの継続時間が短くなり、燃費の向上を妨げることとなる。そこで、更なる燃費の向上を実現するためには、暖機時においてフューエルカット制御を終了する機関回転数を従来の暖機時における機関回転数よりも低くすることにより、フューエルカット制御の終了をなるべく遅らせた方がよい。
【先行技術文献】
【特許文献】
【００１１】
【特許文献１】特開平１１−６２６６４号公報
【発明の概要】
【発明が解決しようとする課題】
【００１２】
しかしながら、特許文献１に記載の従来の車両の制御装置にあっては、暖機時においてフューエルカット制御を終了する機関回転数を従来よりも低くするものではなかった。そのため、暖機時におけるフューエルカット制御を従来より低い機関回転数で実行すると、燃料の供給が再開されても燃焼が不安定になり機関回転数が上昇せず、エンジンストールなどの不具合が発生する可能性があった。
【００１３】
本発明は、上述のような従来の問題を解決するためになされたもので、暖機時にフューエルカット制御を実行する場合において、エンジンストールを発生させずに燃費を向上できるとともに、フューエルカット制御の終了時におけるドライバビリティの低下を防止できる車両の制御装置を提供することを目的とする。
【課題を解決するための手段】
【００１４】
本発明に係る車両の制御装置は、上記目的達成のため、（１）内燃機関の吸気通路に設置され前記内燃機関に吸入される吸入空気量を調節する吸気流量可変機構を備えた車両に設置され、前記吸気流量可変機構を制御して前記吸入空気量を調節する車両の制御装置において、前記内燃機関の冷却水温を検出する冷却水温検出手段と、前記車両の減速時に前記内燃機関の機関回転数が所定値以上であることを条件に前記内燃機関に供給される燃料を停止する燃料供給停止手段と、前記車両の走行状態に基づいて前記吸入空気量を設定する吸入空気量設定手段と、前記吸入空気量設定手段により設定された吸入空気量となるよう前記吸気流量可変機構を制御する制御手段と、前記冷却水温検出手段により検出された冷却水温に応じて前記吸入空気量の下限値を設定する下限値設定手段と、を備え、前記下限値設定手段は、前記内燃機関の暖機中であって前記冷却水温検出手段により検出された冷却水温が低い場合には、高い場合と比較して前記吸入空気量の下限値を高く設定し、前記制御手段は、前記燃料供給停止手段により燃料の供給が停止されている場合に、前記吸入空気量設定手段により設定された吸入空気量が前記下限値設定手段により設定された下限値を下回っている場合には、前記内燃機関に吸入される吸入空気量が前記下限値となるよう前記吸気流量可変機構を制御することを特徴とする。
【００１５】
この構成により、車両の減速時に燃料供給を停止する車両において、冷却水温が低い状態である暖機時に燃料供給を停止した場合には、内燃機関への吸入空気量を増加させることができる。これにより、燃料の霧化の悪化や潤滑油の粘性の低下により失火の発生する可能性が高い暖機時において、燃料供給の再開時に確実に燃料を燃焼させることができる。したがって、暖機時にフューエルカット制御を終了する機関回転数を従来より低く設定しても、フューエルカット制御の終了時に機関回転数を確実に上昇させることができるので、エンジンストールを発生させることなく従来よりも燃料供給の再開を遅らせることができ、結果として燃費を向上することが可能となる。
【００１６】
また、上記（１）に記載の車両の制御装置において、（２）前記下限値設定手段は、前記燃料供給停止手段により燃料供給が停止された場合における前記内燃機関の燃焼室の負圧を所定値以下とするためのもう一つの下限値を設定し、前記もう一つの下限値が前記冷却水温に応じて設定される前記下限値よりも高い前記冷却水温の範囲においては、前記もう一つの下限値を新たな下限値として設定することを特徴とする。
【００１７】
この構成により、暖機時におけるエンジンストールを防止するのみならず、内燃機関を潤滑するオイルが内燃機関の負圧により燃焼室に入り込み消費されることを防止できる。
【００１８】
また、上記（１）または（２）に記載の車両の制御装置において、（３）前記吸気流量可変機構が、スロットルバルブにより構成され、前記制御手段は、前記スロットルバルブの開度を制御することを特徴とする。
【００１９】
この構成により、吸気流量可変機構の構成を複雑にすることなく吸入空気量を調節することができる。また、吸入空気量の下限値が高く設定されても、スロットル開度を高くすることにより吸入空気量を十分確保することができる。
【００２０】
また、上記（１）または（２）に記載の車両の制御装置において、（４）前記吸気流量可変機構が、スロットルバルブと、前記内燃機関のアイドル時に作動するアイドルスピードコントロールバルブとを有し、前記制御手段は、前記スロットルバルブおよび前記アイドルスピードコントロールバルブの開度を制御することを特徴とする。
【００２１】
この構成により、吸入空気量の下限値が高く設定されても、スロットル開度を高くすることにより吸入空気量を十分確保することができる。
【発明の効果】
【００２２】
本発明によれば、暖機時にフューエルカット制御を実行する場合において、エンジンストールを発生させずに燃費を向上できるとともに、フューエルカット制御の終了時におけるドライバビリティの低下を防止できる車両の制御装置を提供することができる。
【図面の簡単な説明】
【００２３】
【図１】本発明の実施の形態に係るエンジンおよびその周辺の構成を示す概略構成図である。
【図２】本発明の実施の形態に係る車両の制御装置を示す概略構成図である。
【図３】本発明の実施の形態に係る吸入空気量下限値マップを示す図である。
【図４】本発明の実施の形態に係る吸入空気量制御を示すフローチャートである。
【発明を実施するための形態】
【００２４】
以下、本発明の実施の形態に係る車両１の制御装置について、図１ないし図４を参照して説明する。  
まず、構成について説明する。
【００２５】
図１に示すように、車両１に搭載され内燃機関を構成するエンジン２は、後述するピストンが２往復する間に吸気行程、圧縮行程、膨張行程及び排気行程からなる一連の４行程を行う４サイクルのガソリンエンジンによって構成されている。なお、本実施の形態においては、エンジン２が直列４気筒のガソリンエンジンにより構成されているものとして説明するが、これに限らず、直列６気筒エンジン、Ｖ型６気筒エンジン、Ｖ型１２気筒エンジン、水平対向６気筒エンジン等の種々の型式のエンジンにより構成されていてもよい。
【００２６】
エンジン２は、機関本体部３と、燃料供給部４と、吸気部５と、排気部６とを有している。なお、以下においては、直列に配置された４つの気筒２２のうちの１つを例に説明する。
【００２７】
機関本体部３は、図示しないエンジンマウントを介して車体に固定されたシリンダブロック１３と、シリンダブロック１３の一方側に固定されたシリンダヘッド１５と、シリンダヘッド１５に固定されたヘッドカバー１８と、シリンダブロック１３の他方側に固定されたクランクケース１９と、クランクケース１９に固定されるとともに潤滑用オイルを貯留可能に構成されたオイルパン２０とを有している。
【００２８】
シリンダブロック１３には、冷却水を流通させるウォータジャケット１４が形成されており、ウォータジャケット１４は、冷却水との熱交換によってシリンダブロック１３を冷却するようになっている。
【００２９】
シリンダヘッド１５には、吸気ポート１６および排気ポート１７が形成されている。また、シリンダブロック１３と、シリンダヘッド１５とによって、気筒２２が形成されている。
【００３０】
また、機関本体部３は、気筒２２の軸線方向に摺動可能となるようシリンダブロック１３に収納された円筒状のピストン２３を有しており、シリンダブロック１３と、シリンダヘッド１５と、ピストン２３とによって、ペントルーフ型の燃焼室２４が画成されている。
【００３１】
ピストン２３の側面部には、複数のピストンリング溝が形成されており、各ピストンリング溝には、シリンダブロック１３の内周面と当接するピストンリングが嵌め込まれている。ピストン２３は、ピストンリングをシリンダブロック１３の内周面と当接させた状態で摺動するため、燃焼室２４を略気密に保ちながら気筒２２の内部を軸線方向に摺動するようになっている。
【００３２】
また、機関本体部３は、クランクケース１９に収納され、エンジン２の出力軸を構成するクランクシャフト２６と、ピストン２３とクランクシャフト２６とを連結するコネクティングロッド２７とを有しており、ピストン２３の往復動を、コネクティングロッド２７を介してクランクシャフト２６の回転運動に変換するようになっている。
【００３３】
クランクシャフト２６は、クランクケース１９に回転可能に支持されるクランクジャーナルと、クランクジャーナルから径方向に突出する複数のクランクアームと、クランクジャーナルと所定の軸間距離を隔てて平行となるよう所定のクランクアームの間に形成されるクランクピンと、クランクピンと径方向反対側であって所定のクランクアームと一体的に形成されるカウンタウェイトとを有している。
【００３４】
コネクティングロッド２７は、棒状に形成されたロッド本体を有しており、ロッド本体は、小軸受孔が形成された小端部と、小端部とは反対側で大軸受孔が形成された大端部とを有している。小端部は、ピストン２３に取り付けられたピストンピンを小軸受孔に回転可能に貫挿して、ピストンピンを介してピストン２３とコネクティングロッド２７とを連結するようになっている。大端部は、クランクピンを大軸受孔に貫挿して、コネクティングロッド２７とクランクシャフト２６とを連結するようになっている。
【００３５】
さらに、機関本体部３は、シリンダヘッド１５に固定された動弁機構２８と、ヘッドカバー１８に固定された点火装置３５と、シリンダヘッド１５の近傍に設置されたインジェクタ３７とを有している。
【００３６】
動弁機構２８は、車両１の走行状態に応じて吸気弁２９および排気弁３０のそれぞれの開閉タイミングを最適に制御する可変動弁機構（ＶＶＴ：Variable Valve Timing-intelligent）によって構成されている。また、動弁機構２８は、ロッカーアーム式の吸気弁２９および排気弁３０と、回転可能に支持された吸気カムシャフト３２および排気カムシャフト３３とを有しており、吸気カムシャフト３２および排気カムシャフト３３の回転を、ロッカーアームを介して吸気弁２９および排気弁３０の往復動に変換するようになっている。したがって、動弁機構２８は、吸気弁２９および排気弁３０を往復動させることにより、吸気ポート１６および排気ポート１７と、燃焼室２４との連通状態を、車両１の走行状態に応じて、最適な開閉タイミングで切り換えるようになっている。
【００３７】
吸気カムシャフト３２および排気カムシャフト３３は、シリンダヘッド１５に固定された図示しないカムシャフトハウジングによって回転可能にそれぞれ支持されており、図示しないタイミングチェーンを介してクランクシャフト２６と連動して回転するようになっている。また、吸気カムシャフト３２および排気カムシャフト３３は、吸気弁２９および排気弁３０のそれぞれに対応するロッカーアームと当接するカムをそれぞれ有しており、これらのカムの所定の回転角毎に各ロッカーアームを押し下げるようになっている。
【００３８】
上述したピストン２３、クランクシャフト２６、コネクティングロッド２７および動弁機構２８は、図示しないトロコイド式のオイルポンプがオイルパン２０から汲み上げて循環させるオイルによって、潤滑および冷却がなされるようになっている。
【００３９】
点火装置３５は、中心電極と接地電極とにより形成され燃焼室２４に一部が突出した点火プラグ３６を有しており、後述するエンジン制御装置８０によってイグニッションコイルに供給される電流を制御し、燃焼室２４に吸入された燃料と空気との混合気に最適なタイミングで点火するようになっている。
【００４０】
インジェクタ３７は、ポート噴射式の燃料噴射装置によって構成され、微細な燃料噴射孔が形成され、一部が吸気ポート１６内に露出した燃料噴射部と、エンジン制御装置８０によって制御される電磁弁により燃料噴射孔の開閉を切り換える駆動部とを有しており、後述する燃料ポンプ４２によって所定圧力に加圧された燃料が供給されるようになっている。また、インジェクタ３７は、電磁弁が通電状態となった場合に燃料噴射孔を開き、加圧された燃料を吸気ポート１６へ霧状に噴射するようになっている。一方、インジェクタ３７は、電磁弁が非通電状態となった場合に燃料噴射孔を閉じ、燃料の噴射を行わないようになっている。
【００４１】
なお、インジェクタ３７は、ポート噴射式に限らず、燃焼室２４の内部に直接燃料を噴射する筒内噴射式の燃料噴射装置によって構成されていてもよく、ポート噴射式の燃料噴射装置と筒内噴射式の燃料噴射装置とを併用するようにしてもよい。
【００４２】
燃料供給部４は、内部に防錆処理が施された鉄製または樹脂製の燃料タンク４１と、燃料タンク４１に収納される円周流式の燃料ポンプ４２とを有しており、燃料ポンプ４２によって所定圧力に加圧した燃料を図示しないフューエルデリバリーパイプを介してインジェクタ３７に供給するようになっている。なお、上述した筒内噴射式の燃料噴射装置が用いられる場合には、燃料供給部４は、燃料ポンプ４２のみならず、筒内噴射式の燃料噴射装置に高圧の燃料を供給する高圧燃料ポンプをさらに有していてもよい。
【００４３】
吸気部５は、一端側でシリンダヘッド１５に接続された吸気管５１と、吸気管５１の他端側に接続されたエアフィルタ５２と、シリンダヘッド１５とエアフィルタ５２との間の吸気経路上に設けられた一弁式のスロットルバルブ５５と、エンジン制御装置８０によって制御される電子制御式のモータによって構成されたスロットルアクチュエータ５６とを有しており、機関本体部３に空気を導入するようになっている。なお、本実施の形態に係る吸気管５１は、本発明に係る吸気通路を構成する。
【００４４】
エアフィルタ５２は、吸気管５１の他端側に接続されたフィルタケース５３と、フィルタケース５３に収容された不織布からなるフィルタエレメント５４とを有しており、車外から吸気部５に導入される空気の除塵を行うようになっている。
【００４５】
スロットルバルブ５５は、円板状の弁体と、弁体に固定された弁軸とを有しており、スロットルアクチュエータ５６によって弁軸が回動させられることにより弁体を回動させ、吸気管５１内の空気の流路断面積を変化させるようになっている。これにより、スロットルバルブ５５は、機関本体部３に導入される空気の流量を調節するようになっている。
【００４６】
なお、本実施の形態に係るスロットルバルブ５５は、本発明に係る吸気流量可変機構を構成する。
【００４７】
排気部６は、一端側でシリンダヘッド１５と接続された排気管６１と、触媒コンバータ６２とを有しており、機関本体部３において発生した排気ガスを車外に排出するようになっている。
【００４８】
触媒コンバータ６２は、排気管６１に接続されたコンバータケース６３と、コンバータケース６３に収納された触媒６４とを有している。触媒６４は、アルミナ担体に白金、ロジウムおよびパラジウム等の酸化還元触媒を担持させた三元触媒によって構成されており、排気ガスに含まれる未燃炭化水素（ＨＣ）、一酸化炭素（ＣＯ）および窒素酸化物（ＮＯｘ）といった有害物質を効率的に除去して、混合気の燃焼によって発生した排気ガスを浄化するようになっている。
【００４９】
触媒温度センサ７１は、触媒コンバータ６２の近傍に設置されており、触媒６４の温度を検出し、エンジン制御装置８０に出力するようになっている。
【００５０】
車両１は、さらに、本発明に係る車両の制御装置を構成するエンジン制御装置８０を備えている。エンジン制御装置８０は、公知のＥＣＵ（Electronic Control Unit）により構成されており、エンジン制御装置８０は、エンジン２から出力されるトルクの大きさを制御したり、後述する各種制御を実行するようになっている。
【００５１】
なお、本実施の形態に係るエンジン制御装置８０は、後述するように、本発明に係る冷却水温検出手段、燃料供給停止手段、吸入空気量設定手段、制御手段および下限値設定手段を構成する。
【００５２】
冷却水温センサ７５は、例えば、抵抗値が温度に応じて変化するサーミスタにより構成されている。したがって、冷却水温センサ７５は、エンジン２の冷却水温Ｔｗに応じてサーミスタの抵抗値が変化し、その結果、冷却水温Ｔｗに応じて変化する電圧を冷却水温Ｔｗを表す信号としてエンジン制御装置８０に出力するようになっている。エンジン制御装置８０は、冷却水温センサ７５から取得した電圧の大きさに基づいて、冷却水温をＴｗを検出するようになっている。したがって、冷却水温センサ７５およびエンジン制御装置８０は、本発明に係る冷却水温検出手段を構成する。冷却水温センサ７５は、ウォータジャケット１４を流通する冷却水の温度を検知するよう、シリンダブロック１３の外壁面に装着されている。
【００５３】
図２に示すように、エンジン制御装置８０は、双方向性バス８７を介して互いに接続されているＣＰＵ（Central Processing Unit）８１、ＲＡＭ（Random Access Memory）８２、ＲＯＭ（Read Only Memory）８３、ＥＥＰＲＯＭ（Electrically Erasable and Programmable Read Only Memory、登録商標）８４、入力ポート８５、および出力ポート８６等を備えたマイクロコンピュータによって構成されている。ＣＰＵ８１は、ＲＡＭ８２の一時記憶機能を利用しつつ、予めＲＯＭ８３に記憶されたプログラムおよびマップや、ＥＥＰＲＯＭ８４に記憶されたデータに従って信号処理を行うことにより、エンジン２の出力制御などを実行するようになっている。出力ポート８６から出力された信号は、Ａ／Ｄ変換器を介してスロットルアクチュエータ５６などに送信されるようになっている。
【００５４】
また、エンジン制御装置８０は、各センサから入力される信号に基づいて、スロットルバルブ５５の開度、インジェクタ３７における燃料噴射量やタイミング、点火プラグ３６における点火時期などを制御するようになっている。
【００５５】
車両１は、さらに、アクセル開度センサ７２と、車速センサ７４と、エンジン回転数センサ７６と、シフトレバー７８の操作位置を検出するための操作位置センサ７７と、スロットル開度センサ７９とを備えている。
【００５６】
アクセル開度センサ７２は、例えばホール素子を用いた電子式のポジションセンサにより構成されており、アクセルペダルが運転者により操作されると、アクセルペダルの位置を示すアクセル開度Ａｃｃを表す信号をエンジン制御装置８０に出力するようになっている。エンジン制御装置８０は、アクセル開度Ａｃｃに応じたトルクをエンジン２に生成させるよう、スロットルバルブ５５（図１参照）の開度、インジェクタ３７における燃料噴射のタイミングおよび点火プラグ３６（図１参照）における点火時期を制御するようになっている。
【００５７】
車速センサ７４は、アウトプットシャフトの回転数Ｎｏｕｔを表す信号をエンジン制御装置８０に出力するようになっており、エンジン制御装置８０は、この信号に基づいて車速Ｖを算出するようになっている。
【００５８】
エンジン２の機関回転数を検出する手段を構成するエンジン回転数センサ７６は、クランクシャフト２６の回転に基づいて、エンジン２の機関回転数Ｎｅを検出するようになっている。
【００５９】
操作位置センサ７７は、シフトレバー７８の位置を検出し、検出結果を表す信号をエンジン制御装置８０に送信するようになっており、エンジン制御装置８０は、操作位置センサ７７から入力された信号に基づきシフトレバー７８の位置を判断するようになっている。また、車両１は、車速Ｖやアクセル開度Ａｃｃに応じて自動変速機の変速段を制御するトランスミッション制御装置を備えており、エンジン制御装置８０は、車内ＬＡＮ回線で接続されたトランスミッション制御装置から現在の変速段を表す信号を取得するようになっている。
【００６０】
スロットル開度センサ７９は、例えば、スロットルバルブ５５（図１参照）のスロットル開度に応じた出力電圧が得られるホール素子により構成されており、スロットルバルブ５５のスロットル開度を表す信号をエンジン制御装置８０に出力するようになっている。
【００６１】
以下、図１ないし図３を用いて本発明の実施の形態に係るエンジン制御装置８０の特徴的な構成について説明する。  
エンジン制御装置８０は、車両１の減速時において、フューエルカット制御を実行するようになっている。具体的には、エンジン制御装置８０は、アクセル開度センサ７２から入力される信号が、アクセル開度の閉状態を表す信号であり、エンジン回転数センサ７６から入力される機関回転数Ｎｅを表す信号が、フューエルカットを実行可能とする予め定められた範囲内であり、かつ、トランスミッション制御装置から入力された現在の変速段が、フューエルカットを実行可能とする変速段を表しているならば、フューエルカット制御を開始するようになっている。
【００６２】
したがって、本実施の形態に係るエンジン制御装置８０は、本発明に係る燃料供給停止装置を構成する。
【００６３】
エンジン制御装置８０は、エンジン回転数センサ７６から入力された信号に基づき、エンジン２の機関回転数Ｎｅが所定値を下回ったならば、フューエルカット制御を終了するようになっている。なお、本実施の形態に係るエンジン制御装置８０は、以下において詳細に説明する吸入空気量制御を実行することにより、フューエルカット制御を終了する機関回転数Ｎｅが、従来のフューエルカット制御を終了する機関回転数Ｎｅよりも低く設定されており、フューエルカット制御の終了が従来より遅くなるようになっている。また、このフューエルカット制御を終了する機関回転数Ｎｅは、エンジンストールが発生しない値として予め実験的な測定により定められている。
【００６４】
ここで、車両１がロックアップ機構を備えたトルクコンバータを備える場合には、フューエルカット制御の実行とともにロックアップ機構を係合状態あるいはスリップ係合状態にして、エンジン２の機関回転数Ｎｅの低下が遅くなるようにする。この場合、トランスミッション制御装置は、現在の変速段に応じてロックアップ機構の係合状態とスリップ状態とを切り替えるようにする。
【００６５】
また、エンジン制御装置８０は、フューエルカット制御中において燃焼室２４に吸入される吸入空気量の基本値を表す基本吸入空気量Ｑａｂａｓｅを算出するようになっている。具体的には、エンジン制御装置８０は、エンジン回転数センサ７６から機関回転数Ｎｅを表す信号を取得すると、機関回転数Ｎｅと基本吸入空気量Ｑａｂａｓｅとを対応付けた基本吸入空気量マップを参照し、基本吸入空気量Ｑａｂａｓｅを算出する。基本吸入空気量マップは、機関回転数Ｎｅが大きいほど基本吸入空気量Ｑａｂａｓｅが大きくなるように定義されている。
【００６６】
また、エンジン制御装置８０は、補機トルクに応じて必要となる追加吸入空気量Ｑａａｄｄを算出するようになっている。具体的には、エンジン制御装置８０は、エアコンを構成するコンプレッサのデューティー比およびエアコンプーリの回転数とトルクとを対応付けたエアコン用トルクマップを予めＲＯＭ８３に記憶しており、エンジン制御装置８０は、コンプレッサのデューティー比およびエアコンプーリの回転数を取得すると、エアコン用トルクマップを参照してエアコンの駆動に必要なトルクを算出する。
【００６７】
また、エンジン制御装置８０は、冷却水ポンプを駆動するために必要な補機トルクを算出するようになっている。冷却水ポンプは、ウォータージャケット１４を含みシリンダブロック１３に形成されている冷却水回路の入口側に設けられており、エンジン制御装置８０は、冷却水ポンプの駆動状態に応じて発生するトルクを冷却水ポンプ用トルクマップとして予めＲＯＭ８３に記憶している。エンジン制御装置８０は、この冷却水ポンプ用トルクマップを参照することにより冷却水ポンプの駆動に必要なトルクを算出する。
【００６８】
また、エンジン制御装置８０は、オルタネータの駆動状態に応じて発生するトルクをオルタネータ用トルクマップとして予めＲＯＭ８３に記憶しており、このオルタネータ用トルクマップを参照することによりオルタネータの駆動に必要なトルクを算出するようになっている。
【００６９】
そして、エンジン制御装置８０は、補機トルクと追加吸入空気量Ｑａａｄｄとを対応付けた追加吸入空気量マップを予めＲＯＭ８３に記憶しており、エンジン制御装置８０は、これらの補機を駆動するために必要な補機トルクを合計すると、ＲＯＭ８３に記憶されている追加吸入空気量マップを参照し、追加吸入空気量Ｑａａｄｄを取得するようになっている。
【００７０】
また、エンジン制御装置８０は、基本吸入空気量Ｑａｂａｓｅと追加吸入空気量Ｑａａｄｄとを足し合わせて、目標吸入空気量Ｑａｔを算出するようになっている。したがって、本実施の形態に係るエンジン制御装置８０は、車両１の走行状態に基づいて吸入空気量を設定する吸入空気量設定手段を構成する。
【００７１】
また、エンジン制御装置８０は、以下に説明する吸入空気量下限値マップに基づいて、下限吸入空気量Ｑａｍｉｎを設定するようになっている。
【００７２】
本実施の形態に係る吸入空気量下限値マップは、図３に示すように、冷却水温Ｔｗと吸入空気量Ｑａとを対応させたグラフにより表される。
【００７３】
エンジン２の暖機時、すなわち冷却水温Ｔｗが低い状態においては、シリンダブロック１３内においてピストン２３などを潤滑する潤滑用オイルが低温になっている。そのため、オイルの粘性が暖機終了後よりも高くなっており、ピストン２３の摺動時に発生する摩擦力が増大する。暖機時には、さらに、インジェクタ３７から吸気ポート１６に噴射される燃料の霧化が悪化するとともに、ポート噴射式インジェクタからの噴射では、噴射された燃料の一部が吸気ポート１６の壁面に付着するポートウェット現象が生じ、燃焼が不安定になる。
【００７４】
そのため、従来のエンジン制御装置は、エンジンの暖機時においては、フューエルカット制御の終了時に燃焼室に対する燃料供給が再開された際に、失火によりエンジンストールが発生しないことを燃費の向上より優先させるために、フューエルカット制御を終了させる機関回転数Ｎｅを暖機終了後よりも高く設定するようになっていた。
【００７５】
これに対し、本実施の形態に係るエンジン制御装置８０は、燃費を向上させるためにフューエルカット制御を終了させる機関回転数Ｎｅを従来よりも低く設定しても、吸入空気量下限値マップを用いた吸入空気量制御を行うことにより、フューエルカット制御の終了時に燃焼室２４に対する燃料供給が再開された場合でも、失火によるエンジンストールの発生を防止するようになっている。
【００７６】
つまり、本実施の形態に係るエンジン制御装置８０は、失火によるエンジンストールの発生を防止するため、エンジン２の暖機時において、フューエルカット制御の実行中に通常時よりも吸入空気量Ｑａを増加させるようになっている。
【００７７】
これにより、一般にスロットルバルブ５５の開度が調節されてから燃焼室２４に供給される吸入空気量が変化するまでに応答遅れが生じるものの、本実施の形態においては、フューエルカット制御中に予め最適な吸入空気量を吸入することにより、フューエルカット制御が終了し、燃料が再び燃焼室２４に供給された時点においても、既に吸入空気量Ｑａが最適値となっているので、エンジンストールの発生を防止することができる。
【００７８】
燃焼室２４における燃焼は、機関の温度が低いほど、すなわち冷却水温Ｔｗが低いほど不安定になる。そこで、吸入空気量下限値マップにおいては、エンジンストールの発生防止に基づいて定められる吸入空気量下限値は、実線９１に示すように、冷却水温Ｔｗが低いほど吸入空気量Ｑａが高く設定されている。
【００７９】
また、車両１の走行中にアクセル開度Ａｃｃが閉状態となり、減速時にスロットルバルブ５５が閉じられると、スロットルバルブ５５の下流側の吸気管５１および吸気ポート１６の内部（以下、吸気管内部という）は大きく負圧化する。吸気管内部に大きな負圧が生じると、その影響によって燃焼室２４内の筒内圧力も負圧化し、所謂オイル上がりが生じる。このオイル上がりは、燃焼室２４内でオイルが消費される原因となる。このため、オイル消費量を抑える観点からは、減速時におけるスロットルバルブ５５の下流側の吸気管５１および吸気ポート１６内の圧力は過度に負圧化させないことが望ましい。
【００８０】
このオイル上がりは、上記のエンジンストールの発生と比較して、冷却水温Ｔｗとの関連性が低い。そのため、本実施の形態に係る吸入空気量下限値マップにおいては、破線９２に示すように、冷却水温Ｔｗにかかわらず一定値Ｑａｎｐを取るように定められている。
【００８１】
また、図３の矢印９３に示すように、フューエルカット制御中における吸入空気量Ｑａが大きくなるほど、フューエルカット制御の終了前後におけるトルク段差が大きくなり、車両１のドライバビリティが悪化することとなる。このため、吸入空気量Ｑａは、定性的にはエンジンストールが発生しない範囲において小さいほうがよい。本実施の形態においては、実線９１および破線９２により表される吸入空気量Ｑａの下限値は、ドライバビリティが低下をしない値に設定されている。また、冷却水温Ｔｗが高くなりエンジンストールの発生する可能性が低下するにつれ、下限値が低下するので、より一層ドライバビリティを向上することができる。つまり、実線９１は、破線９２より吸入空気量Ｑａが高い範囲において、エンジンストールの発生防止と、ドライバビリティの向上とをバランスよく両立させるように定義されている。
【００８２】
本実施の形態においては、エンジン制御装置８０は、上記のように算出された目標吸入空気量Ｑａｔが、実線９１および破線９２により表される下限値により定義される設定可能領域９４に含まれるか否かを判断するようになっており、目標吸入空気量Ｑａｔが設定可能領域９４に含まれていない場合には、実線９１および破線９２により表される下限値のうち、冷却水温センサ７５により検出された冷却水温Ｔｗに対応する下限値を目標吸入空気量Ｑａｔに置き換えるガード処理を実行するようになっている。
【００８３】
つまり、エンジン制御装置８０は、検出した冷却水温が低い場合には、高い場合と比較して吸入空気量の下限値を高く設定する構成を有している。
【００８４】
また、本実施の形態に係る破線９２は、本発明に係るもう一つの下限値を構成する。つまり、本実施の形態に係るエンジン制御装置８０は、燃料供給を停止された場合における内燃機関の燃焼室の負圧を所定値以下とするためのもう一つの下限値を設定し、もう一つの下限値が冷却水温に応じて設定される下限値よりも高い冷却水温の範囲においては、もう一つの下限値を新たな下限値として設定する構成を有している。したがって、本実施の形態に係るエンジン制御装置８０は、本発明に係る下限値設定手段を構成する。
【００８５】
また、エンジン制御装置８０は、実吸入空気量Ｑａが目標吸入空気量Ｑａｔに一致するよう、スロットルアクチュエータ５６を制御してスロットルバルブ５５の開度を調節するようになっている。具体的には、エンジン制御装置８０は、目標吸入空気量Ｑａｔとスロットル開度とを対応付けたスロットル開度マップをＲＯＭに記憶しており、目標吸入空気量Ｑａｔが設定されるとスロットル開度マップを参照してスロットル開度を取得し、このスロットル開度になるようスロットルアクチュエータを制御する。したがって、本実施の形態に係るエンジン制御装置８０は、本発明に係る制御手段を構成する。
【００８６】
なお、車両１が吸入空気量センサを搭載している場合には、吸入空気量センサにより検出される吸入空気量、すなわち実吸入空気量が目標吸入空気量Ｑａｔに近づくよう、フィードバック制御を実行するようにしてもよい。
【００８７】
次に、動作について図４を参照して説明する。なお、以下に説明する処理は、予めＲＯＭ８３に記憶されているプログラムによって実現され、所定の時間間隔でＣＰＵ８１によって実行される。
【００８８】
図４に示すように、まず、エンジン制御装置８０は、フューエルカット制御の実行中であるか否かを判断する（ステップＳ１１）。エンジン制御装置８０は、アクセル開度センサ７２によりアクセル開度Ａｃｃの全閉状態が検出されており、かつ、機関回転数Ｎｅが所定値以上である場合に、フューエルカット制御を実行する。エンジン制御装置８０は、フューエルカット制御の実行中においては、ＥＥＰＲＯＭ８４にフューエルカット制御の実行中を表すフラグを立てるようになっており、このフラグに基づいてフューエルカット制御の実行中であるか否かを判断する。
【００８９】
エンジン制御装置８０は、フューエルカット制御の実行中であると判断した場合には（ステップＳ１１でＹＥＳ）、ステップＳ１２に移行する。一方、エンジン制御装置８０は、フューエルカットの実行中でないと判断した場合には（ステップＳ１１でＮＯ）、ＲＥＴＵＲＮに移行する。
【００９０】
次に、エンジン制御装置８０は、基本吸入空気量Ｑａｂａｓｅを算出する（ステップＳ１２）。具体的には、エンジン制御装置８０は、エンジン回転数センサ７６から機関回転数Ｎｅを表す信号を取得すると、ＲＯＭ８３に記憶されている基本吸入空気量マップを参照し、基本吸入空気量Ｑａｂａｓｅを算出する。
【００９１】
次に、エンジン制御装置８０は、補機トルクに応じた追加吸入空気量Ｑａａｄｄを算出する（ステップＳ１３）。具体的には、エンジン制御装置８０は、エアコンのコンプレッサ、冷却水ポンプおよびオルタネータの駆動状態を表す信号を取得すると、エアコン用トルクマップ、冷却水ポンプ用トルクマップおよびオルタネータ用トルクマップに基づいて、補機トルクを算出する。そして、エンジン制御装置８０は、追加吸入空気量マップを参照し、補機トルクに対応する追加吸入空気量Ｑａａｄｄを算出する。
【００９２】
次に、エンジン制御装置８０は、上記ステップＳ１２で算出した基本吸入空気量Ｑａｂａｓｅと、ステップＳ１３で算出した補機トルクに対応する追加吸入空気量Ｑａａｄｄとを用いて、以下の式（１）に基づいて目標吸入空気量Ｑａｔを算出する。
【００９３】
Ｑａｔ  ＝  Ｑａｂａｓｅ  ＋  ｋ×Ｑａａｄｄ          （１）
ここで、ｋは係数を表しており、予め実験的な測定により定められている。
【００９４】
次に、エンジン制御装置８０は、冷却水温Ｔｗを取得する（ステップＳ１５）。具体的には、エンジン制御装置８０は、冷却水温センサ７５から入力される信号に基づいて冷却水温Ｔｗを取得する。
【００９５】
次に、エンジン制御装置８０は、下限吸入空気量Ｑａｍｉｎを設定する（ステップＳ１６）。具体的には、エンジン制御装置８０は、ＲＯＭ８３に記憶されている吸入空気量下限値マップを参照し、ステップＳ１５において取得した冷却水温Ｔｗに対応する吸入空気量の下限値を下限吸入空気量Ｑａｍｉｎとして設定する。
【００９６】
次に、エンジン制御装置８０は、目標吸入空気量Ｑａｔが下限吸入空気量Ｑａｍｉｎ以上であるか否かを判断する（ステップＳ１７）。エンジン制御装置８０は、目標吸入空気量Ｑａｔが下限吸入空気量Ｑａｍｉｎ以上であると判断した場合には（ステップＳ１７でＹＥＳ）、ステップＳ１９に移行する。一方、エンジン制御装置８０は、目標吸入空気量Ｑａｔが下限吸入空気量Ｑａｍｉｎ未満であると判断した場合には（ステップＳ１７でＮＯ）、ステップＳ１８に移行する。
【００９７】
ステップＳ１８において、エンジン制御装置８０は、目標吸入空気量Ｑａｔに対しガード処理を実行する。
Ｑａｔ  ←  Ｑａｍｉｎ    （２）
【００９８】
次に、エンジン制御装置８０は、実吸入吸気量Ｑａが目標吸入空気量Ｑａｔとなるよう、上述したスロットル開度マップを参照してスロットル開度を設定し、このスロットル開度となるようスロットルアクチュエータ５６を制御する（ステップＳ１９）。
【００９９】
以上のように、本実施の形態に係るエンジン制御装置８０は、車両１の減速時に燃料供給を停止する車両１において、暖機時に燃料供給を停止した場合には、燃焼室２４への吸入空気量Ｑａを増加させることができる。これにより、燃料の霧化の悪化や潤滑油の粘性の低下により失火の発生する可能性が高い暖機時において、燃料供給の再開時に確実に燃料を燃焼させることができる。したがって、暖機時にフューエルカット制御を終了する機関回転数を従来より低く設定しても、フューエルカット制御の終了時に機関回転数を確実に上昇させることができるので、エンジンストールを発生させることなく従来よりも燃料供給の再開を遅らせることができ、結果として燃費を向上することが可能となる。また、暖機終了後においては、暖機時より下限値が低く設定されるので、燃料供給の再開時に発生するトルク段差を低減しドライバビリティの低下を防止することができる。
【０１００】
また、エンジン制御装置８０は、暖機時におけるエンジンストールを防止するのみならず、ピストン２３などを潤滑するオイルが内燃機関の負圧により燃焼室に入り込み消費されることを防止できる。
【０１０１】
なお、以上の説明においては、エンジン制御装置８０は、スロットルバルブ５５の開度を制御することにより、吸入空気量制御の実行中において実吸入空気量Ｑａを目標吸入空気量Ｑａｔに近づける場合について説明した。
【０１０２】
しかしながら、車両１の吸気部５が、エンジン２の運転状態がアイドル状態である場合にエンジン２に供給される空気流量を調整するためのＩＳＣ（Idle Speed Control）用バイパス通路を備えるようにし、エンジン制御装置８０が、スロットルバルブ５５の開度の調節と、ＩＳＣ用バイパス通路に流れる空気流量の調節とを併せて行うようにしてもよい。この場合、ＩＳＣ用バイパス通路には、空気流量を調整するためのＩＳＣ用バルブが設けられており、ＩＳＣ用バルブは、エンジン制御装置８０に制御されるＩＳＣ用バルブアクチュエータによって駆動されＩＳＣ用バイパス通路における空気流量を変更するようにする。この場合、例えば、冷却水温Ｔｗが高い場合には、ＩＳＣ用バルブの開度を調節するようにし、冷却水温Ｔｗが低くなり、ＩＳＣ用バイパス通路を通過する空気流量のみでは目標吸入空気量Ｑａｔに達しない場合にスロットルバルブ５５の開度を調節するようにする。
【０１０３】
なお、ＩＳＣ用バイパス通路は、一般に、アイドル中におけるエンジンの機関回転数Ｎｅを制御するものであるため、本実施の形態のように暖機時かつ低機関回転数におけるフューエルカット制御終了直後の燃焼を維持するための吸入空気量を流通するには不十分であるが、仮に、ＩＳＣ用バイパス通路が、暖機時かつ低機関回転数におけるフューエルカット制御終了直後の燃焼を維持するための吸入空気量を流通できる場合には、エンジン制御装置８０は、スロットルバルブ５５の開度を調節する代わりにＩＳＣ用バルブの開度を調節するようにしてもよい。
【０１０４】
また、以上の説明においては、吸入空気量下限値マップにおける実線９１が、冷却水温Ｔｗの低下に対して吸入空気量の下限値を連続的に上昇させるように定義される場合について説明した。しかしながら、実線９１は、冷却水温Ｔｗが所定値未満の場合に所定値以上の場合より高く設定される２値の下限値をとるようにしてもよい。この場合、所定値は、冷却水温Ｔｗに対する燃料の霧化の状態や、潤滑油の粘性に基づいて、予め実験的な測定により定めるようにする。また、実線９１は、２値の下限値のみならず、冷却水温Ｔｗが低いほど下限値が高くなる３値以上の多値を下限値として定義するよう定められていてもよい。
【０１０５】
また、以上の説明においては、車両１が自動変速機を搭載する場合について説明したが、これに限定されず、車両１が手動変速機や無段変速機を備えるようにしてもよい。また、車両１がエンジンとモータとによって駆動されるハイブリッド車両により構成されていてもよい。これらの場合、車両１が自動変速機を搭載する場合と比較して、上述したフューエルカット制御の開始条件が変わることになるが、本実施の形態に係る吸入空気量下限値マップに基づいて吸入空気量制御を実行することにより、従来のエンジン制御装置よりフューエルカット制御が終了する機関回転数を低下させても、エンジンストールが発生することを防止し、燃費を向上することができる。
【０１０６】
また、以上の説明においては、吸入空気量下限値マップが、実線９１および破線９２により定義される場合について説明したが、これに限定されず、吸入空気量下限値マップが、実線９１のみで定義されるようにしてもよい。この場合は、実線９１および破線９２により定義される場合と比較してオイル上がりによるオイルの消費が増加する可能性があるものの、上述した実施の形態と同様、燃費を向上することが可能となる。
【０１０７】
以上説明したように、本発明に係る車両の制御装置は、暖機時にフューエルカットを実行する場合において、エンジンストールを発生させずに燃費を向上できるとともに、フューエルカット制御の終了時におけるドライバビリティの低下を防止できるという効果を奏するものであり、減速時に内燃機関への燃料供給を停止可能な車両の制御装置に有用である。
【符号の説明】
【０１０８】
１  車両
２  エンジン
３  機関本体部
４  燃料供給部
５  吸気部
６  排気部
１６  吸気ポート
１７  排気ポート
２２  気筒
２３  ピストン
２４  燃焼室
２６  クランクシャフト
２８  動弁機構
２９  吸気弁
３０  排気弁
３２  吸気カムシャフト
３３  排気カムシャフト
３５  点火装置
３６  点火プラグ
３７  インジェクタ
４１  燃料タンク
４２  燃料ポンプ
５１  吸気管
５５  スロットルバルブ
５６  スロットルアクチュエータ
６１  排気管
６４  触媒
７１  触媒温度センサ
７２  アクセル開度センサ
７４  車速センサ
７５  冷却水温センサ
７６  エンジン回転数センサ
７７  操作位置センサ
７８  シフトレバー
８０  エンジン制御装置
【図１】
0005504869.tif 000002
【図２】
0005504869.tif 000003
【図３】
0005504869.tif 000004
【図４】
0005504869.tif 000005